(57)【要約】【課題】釣り用リールに釣り糸の繰り出し又は繰り入れをさせる時に、釣り糸の逆ねじれによる絡み合いを防止する釣り糸巻き機の提供。【解決手段】釣り用リールに、スムーズに釣り糸の繰り出し又は繰り入れをさせるための釣り糸巻き機。上端にサポータが立設されているベース部、サポータの一端に水平状に枢着されているシャフト、シャフトを回転作動させる駆動手段、巻き芯及び巻き芯の両側に配置された留め部を有するリール、リールの一方の留め部に接触する当接部と留め部の反対側に押圧部とを有する第１及び第２当接輪、第１当接輪及び第２当接輪の回転に減衰力を与える２つの制動片、駆動手段から離れた側でシャフトに設けられている第２ブレーキ台座、第２ブレーキ台座の端縁でシャフトに設けられている調整手段、及び、駆動手段に隣接して、前記シャフトに設けられ、前記駆動手段から離れる一端に第１ブレーキ台座が設けられているバッファ手段と、を含むことを特徴とする。【選択図】図１
2017051179.tif 000002
【特許請求の範囲】
【請求項１】
釣り用リールに、スムーズに釣り糸の繰り入れ／繰り出しをさせるために使用する釣り糸巻き機であって、
上端にサポータが延在して立設されているベース部と、
前記サポータの一端に水平状に枢着されているシャフトと、
前記シャフトに連結しており、前記シャフトを回転作動させる駆動手段と、
前記シャフト上を摺動するように配置される、巻き芯及び該巻き芯の両側に配置された留め部とを有するリールと、
前記シャフトと同軸に設置され、前記リールの一方の留め部に接触する当接部と、前記留め部の反対側に押圧部とを有する第１当接輪と、
前記シャフトと同軸に設置され、前記第１当接輪とは反対側の前記リールの留め部に接触する当接部と、該留め部の反対側に押圧部とを有する第２当接輪と、
一つが前記第１当接輪の前記リールに対向する側の他方側に設けられ、もう一つが前記第２当接輪の前記リールに対向する側の他方側に設けられ、いずれも前記第１当接輪及び前記第２当接輪の回転に減衰力を与える２つの制動片と、
前記駆動手段から離れた側で前記シャフトに設けられている第２ブレーキ台座と、
前記第２ブレーキ台座の端縁で前記シャフトに設けられている調整手段と、
前記駆動手段に隣接して、前記シャフトに設けられ、前記駆動手段から離れる一端に第１ブレーキ台座が設けられているバッファ手段と、を含むことを特徴とする釣り糸巻き機。
【請求項２】
前記シャフトが、軸部とねじ部とを更に含む、請求項１に記載された釣り糸巻き機。
【請求項３】
前記サポータの一方側に、制御ボックスが設けられている、請求項１又は２に記載された釣り糸巻き機。
【請求項４】
前記駆動手段が、前記シャフトを自動的に回転駆動することが可能なモータである、請求項１〜３の何れかに記載された釣り糸巻き機。
【請求項５】
前記シャフトに、シャフトを一方の方向に回転させるために用いられる単方向軸受が設けられている、請求項１〜４の何れかに記載された釣り糸巻き機。
【発明の詳細な説明】
【技術分野】
【０００１】
本発明は、釣り用リールに、釣り糸の繰り出し／繰り入れをさせる釣り糸巻き機に関する。
【背景技術】
【０００２】
現在の社会においては、レジャー活動として魚釣りを行う人々も多く、釣り活動の際には、釣り場や、魚類の生存習慣の検討のみならず、釣りに使用する装備品も、釣りに影響する重要な要因の一つである。従来よく見られる釣り用リールは、概ね、手動及び電動の２種類に分けられる。
【０００３】
例えば、電動釣り用リールの場合、メンテナンスや拭き掃除等を行う時は、通常、これに巻き付けられた釣り糸を引き出しておかなければならず、この場合、引き出された糸を、外部のリールに巻き付けておき、メンテナンス等が完了した後、該リールに巻き付けられた釣り糸を、再び電動釣り用リールに巻き戻している。
【０００４】
しかしながら、従来の方法では、電動釣り用リールに釣り糸を規則的に巻き戻すことは困難であり、釣り糸がまっすぐ引っ張られていない状態では、釣り糸の釣り用リールへの巻き付け作業がスムーズに行われず、糸に逆ねじれや結束等の不具合が発生するため、使用時において、釣り糸の繰り出し距離が不適確となって、繰り出し時に釣り糸が詰まるなどの問題が生じるため、従来の方法では、使用上の不便をもたらし易い。
【発明の概要】
【発明が解決しようとする課題】
【０００５】
従って本発明の目的は、釣り用リールに釣り糸の繰り出し／繰り入れをさせるときに、釣り糸の逆ねじれによる絡み合いを防止することができる釣り糸巻き機を提供することにある。
【課題を解決するための手段】
【０００６】
即ち本発明は、釣り用リールに、スムーズに釣り糸の繰り入れ／繰り出しをさせるために使用する釣り糸巻き機であって、上端にサポータが延在して立設されているベース部と、前記サポータの一端に水平状に枢着されているシャフトと、前記シャフトに連結しており、前記シャフトを回転作動させる駆動手段と、前記シャフト上を摺動するように配置される、巻き芯及び該巻き芯の両側に配置された留め部とを有するリールと、前記シャフトと同軸に設置され、前記リールの一方の留め部に接触する当接部と、前記留め部の反対側に押圧部とを有する第１当接輪と、前記シャフトと同軸に設置され、前記第１当接輪とは反対側の前記リールの留め部に接触する当接部と、該留め部の反対側に押圧部とを有する第２当接輪と、一つが前記第１当接輪の前記リールに対向する側の他方側に設けられ、もう一つが前記第２当接輪の前記リールに対向する側の他方側に設けられ、いずれも前記第１当接輪及び前記第２当接輪の回転に減衰力を与える２つの制動片と、前記駆動手段から離れた側で前記シャフトに設けられている第２ブレーキ台座と、前記第２ブレーキ台座の端縁で前記シャフトに設けられている調整手段と、前記駆動手段に隣接して、前記シャフトに設けられ、前記駆動手段から離れる一端に第１ブレーキ台座が設けられているバッファ手段と、を含むことを特徴とする釣り糸巻き機である。
【発明の効果】
【０００７】
本発明の釣り糸巻き機を使用して、釣り用リールに、釣り糸の繰り出し／繰り入れをさせることによって、釣り糸の逆ねじれによる絡み合いを防止することができる。
【図面の簡単な説明】
【０００８】
【図１】本発明に係る一実施例の釣り糸巻き機の斜視図である。
【図２】本発明に係る一実施例の釣り糸巻き機の分解図である。
【図３】本発明に係る一実施例の釣り糸巻き機の断面図である。
【図４】本発明に係る一の実施例の釣り糸巻き機の使用状態を表す斜視図である。
【発明を実施するための形態】
【０００９】
上述の、及び、その他の本発明の目的及び効果は、次に記載された実施例の詳細な説明及び添付図面から、容易に、且つ、十分に理解することができる。
【００１０】
以下は、本明細書を詳しく説明し、添付図面にその構造を示すために選択された実施例であるが、もちろん本発明は、ある部品又は部品のレイアウト上に多少異なる事項があったとしても許容されるものである。
【００１１】
以下に、本発明の実施形態と共に本発明の優位性および特徴を、図面を参照して説明する。図１〜図４を挙げて、本発明における望ましい構造について説明するが、それらは、本発明の実施形態の説明のためのみに用いられるものであり、本発明の特許請求の範囲は、このような構造に限定されるものではない。
【００１２】
本実施例の釣り糸巻き機は、主に、釣り用リールＲに、スムーズに釣り糸の繰り出し／繰り入れをさせるために使用する釣り糸巻き機であって、上端にサポータ１１が延在して立設されているベース部１と、サポータ１１の一端に水平状に枢着されているシャフト２と、糸の規則的な巻き込みを完了させる駆動手段３と、該駆動手段３によって駆動されるリール４と、シャフト２に同軸配置され、リール４に接する第１当接輪５及び第２当接輪６と、２個の制動片７と、第２ブレーキ台座８と、調整手段９と、バッファ手段９１と、第１ブレーキ台座９１１とを含む。
【００１３】
前記リール４は、その中に、糸を結ぶことが可能な巻き芯４１と、該巻き芯４１の両側に配置された留め部４２とを有し、シャフト２と、巻き芯４１が同軸となるように、枢動可能に固着されている。
前記駆動手段３は、上述したリール４内に、規則的に釣り糸の巻き込みを完了させる。
【００１４】
第１当接輪５及び第２当接輪６は、それぞれ、当接部５１及び６１と、その裏面である押圧部５２及び６２とを有し、シャフト２と同軸上に設置されている。当接部５１及び６１は、それぞれ、リール４の一方の側及び他方の側の軸孔の端縁に接しており、リール４を枢動させる際に密着して運行されるようになっている。
【００１５】
２つの制動片７は、それぞれ、第１当接輪５及び６のリール４に対向する側の他方側（即ち押圧部５２及び６２側）に設けられる。
【００１６】
第２ブレーキ台座８は、シャフト２の駆動手段３から離れた側に設けられており、更に、ユーザが減衰力の大きさをより調整しやすくするため、更に、第２当接輪６と共に、その制動片７を挟持してブレーキの役割として機能するように、内縁にはシャフトの面に変位可能に凸状ピース８１が設けられている。
【００１７】
調整手段９は、シャフト２上の、第２ブレーキ台座８の端縁に設けられており、シャフト２上で回して、前記した部材、例えばリール４、２つの制動片７、第１当接輪５、第２当接輪６、第２ブレーキ台座８及びバッファ手段９１を、押し付けて締め付けることによって、リール４を高速に回転させて釣り糸を巻き込む（釣り用シールから釣り糸を繰り出す）。これにより、スムーズ且つ効率的に、釣り糸の巻き込みを完了させることができる。
また、調整手段９は、釣り糸を釣り用リールに繰り入れるために、糸巻き機から糸を巻き出そうとすると、前記した部材を締め付けるようになっている。
また、バッファ手段９１は、シャフト２上で、駆動手段３に隣接して設けられている。
バッファ手段９１としては、図示されたようなバネの他、ゴム等の弾性体も使用することができる。
【００１８】
以上に説明したように、一方向のみ軸と共に回転して、逆回転するときは自由回転する単方向軸受であるため、釣り用リールに糸を繰り入れる時にシャフトが作動せず、第１当接輪５、第２当接輪６、制動片７及びリール４が同時に摺動するため、第２及び第１ブレーキ台座８及び９１１に減衰力を生じさせ、釣り用リールに釣り糸の繰り出し及び繰り入れをさせる際に、糸にテンションを与えることができる。
【００１９】
ここで、本実施例においては、前記シャフト２に軸部２１とねじ部２２とが更に含まれ、軸部２１がシャフト２の駆動手段３寄りの一端に設けられ、ねじ部２２が軸部２１に対し駆動手段３から離れた他端に設けられ、さらに、軸部２１及びねじ部２２上に互いに連通する水平面が設けられることによって、前記の設計によって変位の順調度を向上させることができ、リール４の糸の巻き込み／巻き出しがより容易になる。
【００２０】
本発明の釣り糸巻き機には、更に、駆動手段３の駆動を制御するための制御ボックスを設けることができる。
本実施においては、サポータ１１上の、シャフト２側の反対側の位置に制御ボックス１２が設けられている（図２参照）。
制御ボックスは、内部に制御装置及びプリント配線板等の精密な部材が設置されているため、これらの部材を、破損の原因となる水分、湿気及び外力等から保護するような構造である必要がある。また、制御ボックス１２の設置によって、本発明全体の外観等の視覚効果を高めることもできる。
【００２１】
また、駆動手段３として、シャフト２を回転駆動するモータを使用してもよい。即ち、モータを動力源として、シャフトを駆動して、電動釣り用リールからの釣り糸の繰り出しを行うことができる。
【００２２】
本実施例においては、シャフト２と、該シャフトと同軸上に設けられた駆動手段３との間に、単方向軸受２３が設けられている。釣り糸を釣り用リールから繰り出す時に、単方向軸受２３によって、シャフト２が動かないようにして、第１ブレーキ台座９１１及び第２ブレーキ台座８に減衰力を生じさせ、制動片７、第１当接輪５及び第２当接輪６の回転を減衰させる。
調整手段９の緩めまたは締め付けにより、その減衰力を調整し、要望する糸巻きのテンションに調節することができる。
【００２３】
本実施例の釣り糸巻き機は、釣り用リールから繰り出された釣り糸を巻き取る時に、釣り糸をリール４の適当な位置に連結すれば、駆動手段３の駆動によりシャフト２を回転させ、リール４を円滑に回転駆動させることができる。
これによって、釣り用リールＲに巻き取られている釣り糸が繰り出され、リール４の２つの留め部４２の間の巻き芯４１に巻き付けられる。このように、釣り糸が釣り用リールＲから完全に繰り出されることによって、釣り用リールＲのメンテナンス作業等を行うことができる。
上記動作の時、本発明の釣り糸巻き機のリール４が、第１ブレーキ台座９１１、第２ブレーキ台座、２つの制動片、第１当接輪及び第２当接輪で挟持され、シャフト２により回転駆動されるので、前記釣り用リールＲから釣り糸を繰り出す際に、前記釣り用リールＲの糸がスムーズに繰り出されると共に、釣り糸の逆ねじれ防止効果が得られる。
【００２４】
釣り用リールＲのメンテナンス作業等が終了した後、リール４に巻き取られている釣り糸を、釣り用リールＲに巻き戻す時は、釣り糸を釣り用リールＲに連結させ、更に、その調整手段９を回して締め付け、釣り用リールＲの繰り入れ操作を行うことによって、釣り糸を釣り用リールＲに巻き戻すことができる。
【産業上の利用可能性】
【００２５】
本発明の釣り糸巻き機は、釣り用リールに巻き取られている釣り糸を繰り出し／繰り入れさせることによって、逆ねじれによる絡み合いを防止することができるため、釣り具の整備用品として利用価値があり、産業上有用である。
【００２６】
本発明を限られた数の実施形態に関してのみ詳細に説明してきたが、本発明はこのように開示された実施形態に限定されないことが容易に理解されるはずである。むしろ、これまで説明してはいないが、本発明の趣旨及び範囲に見合う任意の数の変形、変更、置換、または等価な配置を取り入れるように、本発明を変更することができる。更に、本発明の種々の実施形態について説明してきたが、本発明の態様には、説明した実施形態の一部のみが含まれる場合があることを理解されたい。従って本発明は、前述した説明によって限定されると考えるべきではなく、添付された特許請求項の範囲のみによって限定される。
【００２７】
上記詳細な説明は明確であり、当該技術を熟知する当業者は、本発明が前記目的を確かに達成できることを理解できるはずである。
【符号の説明】
【００２８】
１  ベース部
２  シャフト
３  駆動手段
４  リール
５  第１当接輪
６  第２当接輪
７  制動片
８  第２ブレーキ台座
９  調整手段
１１  サポータ
１２  制御ボックス
２１  軸部
２２  ねじ部
２３  単方向軸受
４１  巻き芯
４２  留め部
５１  当接部
５２  押圧部
６１  当接部
６２  押圧部
８１  凸状ピース
９１  バッファ手段
９１１  第１ブレーキ台座
Ｒ  釣り用リール
【図１】
2017051179.tif 000003
【図２】
2017051179.tif 000004
【図３】
2017051179.tif 000005
【図４】
2017051179.tif 000006